(57)【特許請求の範囲】
【請求項１】
記録媒体を供給する記録媒体供給手段と、記録媒体を搬送する搬送手段と、記録媒体の幅方向に亘って走査すると共にインクを噴射して画像を記録する記録手段と、画像の記録時に記録媒体を保持して浮き上がりを防止する記録媒体保持手段とを有するインクジェット記録装置において、
上記記録媒体保持手段は、記録媒体裏面に接する保持部に、記録媒体よりも大きな範囲に記録を行った際に噴射された余剰インクを受けるためのインク受け用の開口部を設けると共に、
該開口部の位置を、記録媒体の幅に応じて変更可能に構成したことを特徴とするインクジェット記録装置。
【請求項２】
前記保持部を交換可能に構成し、該保持部を、記録媒体の幅に対応させて予めインク受け用の開口部をそれぞれ形成してなる複数種の保持部のいずれかと交換することにより、インク受け用の開口部の位置を変更可能としたことを特徴とする請求項１記載のインクジェット記録装置。
【請求項３】
各種記録媒体の各々の幅に対応する位置にインク受け用の開口部を形成してなる保持部の下面に、上記開口部と適合する大きさの開口を、上記開口部よりも少ない数だけ形成したスライド板をスライド可能に当接させ、上記保持部とスライド板との相対位置を変更して保持部のいずれかの開口部とスライド板の開口とを選択的に適合させることにより、インク受け用の開口部の位置を変更可能としたことを特徴とする請求項１記載のインクジェット記録装置。
【請求項４】
記録媒体を供給する記録媒体供給手段と、記録媒体を搬送する搬送手段と、記録媒体の幅方向に亘って走査すると共にインクを噴射して画像を記録する記録手段と、画像の記録時に記録媒体を保持して浮き上がりを防止する記録媒体保持手段とを有するインクジェット記録装置において、
上記記録媒体保持手段は、記録媒体裏面に接する多数の吸引孔を有する保持部と、該保持部下面側に設けられた負圧室と、該負圧室と接続して上記吸引孔から空気を吸引することにより記録媒体を保持部に吸着させる吸引手段と、上記負圧室内に設けられ、記録媒体よりも大きな範囲に記録を行った際に噴射された余剰インクを受けるためのインク受け部とを有し、
上記インク受け部は、内部に貯溜された余剰インクを排出する排出口を開閉弁を介して上記負圧室内に臨ませ、
上記記録手段による非記録時に上記開閉弁を開放することにより、吸引手段の吸引力によりインク受け部内の余剰インクを排出するようにしたことを特徴とするインクジェット記録装置。
【発明の詳細な説明】
【０００１】
【発明の属する技術分野】
本発明はインクジェット記録装置に関し、詳しくは、記録ヘッドによる記録媒体への画像記録時に該記録媒体の浮き上りを防止するために保持する記録媒体保持手段を有するインクジェット記録装置に関する。
【０００２】
【従来の技術】
ロール状やシート状の記録媒体上にインクを噴射させて画像を記録するインクジェット記録装置は、一般に、記録媒体上にインクの噴射を行う記録ヘッドを該記録媒体の幅方向に亘って走査させ、その走査の過程でインクを噴射して画像の記録を行う動作と、その走査方向と略直交する方向に沿って記録媒体を所定量搬送する動作とを順次繰り返すことにより、記録媒体上に所望の画像が記録形成されるようになっている。
【０００３】
良質な画像を記録形成するため、画像記録時に、インクを噴射する記録媒体表面の平滑性を保つことが重要である。このため、インクジェット記録装置には、記録媒体の裏面に当接してこれを保持するための記録媒体保持手段が設けられている。
【０００４】
この記録媒体保持手段は、図１９（ａ）に示すように、記録媒体の裏面に当接する表面が平滑な平板状の保持部１００に、吸引ファンや吸引ポンプ等の吸引手段によって空気を吸引するための多数の吸引孔１０１が開穿されており、この吸引孔１０１から空気を吸引することにより記録媒体をその表面に吸引、吸着させ、記録媒体表面の平滑性を維持するようにしている。
【０００５】
また、記録媒体の大きさよりも大きな画像（縁なし画像）を記録形成する場合には、記録ヘッドにより記録媒体の大きさよりも大きな範囲に記録を行った際に、該記録ヘッドから噴射されて記録媒体の両側縁部からはみ出した余剰インクを受け入れるため、図１９（ｂ）に示すように、記録媒体の両側縁部に対応する位置に、インク受け用の開口部１０２、１０３がそれぞれ設けられる。
【０００６】
【発明が解決しようとする課題】
インクジェット記録装置においては、インクを安定的に記録媒体上に噴射させるため、記録ヘッドと記録媒体との間隔は極めて近接している。
【０００７】
このため、保持手段によって保持される記録媒体に浮き上がり等が存在していると、該記録媒体と記録ヘッドとが接触することにより、記録媒体や記録ヘッドのノズルが損傷する問題があり、また、良質の画像を記録形成することも困難となるため、その浮き上がりの発生を極力抑えることが必要である。
【０００８】
特に、記録ヘッドは記録媒体の幅方向に沿って主走査を行う関係上、記録媒体の両側縁部において浮き上がりを抑えることは、重要である。
【０００９】
図１９（ｂ）に示すように、保持部１００にインク受け用の開口部１０２、１０３が形成されているものにあっては、該開口部１０２、１０３は記録媒体の両側縁部に位置するため、該部において記録媒体の吸引、吸着が行われず、記録媒体の浮き上がりによって記録ヘッドとの接触の問題が懸念される。
【００１０】
また、保持部１００に形成されるインク受け用の開口部１０２、１０３は、記録媒体の幅に対応させて設けられるため、幅が異なる記録媒体を使用する場合には、縁なし画像を記録することができない。
【００１１】
そこで、本発明の課題は、記録媒体の両側縁部における浮き上がりの発生を防止して、良質な画像記録を行うことのできるインクジェット記録装置を提供することにある。
【００１２】
また、本発明の他の課題は、幅の異なる各種の記録媒体へ画像を記録する場合にも容易に対応することのできるインクジェット記録装置を提供することを課題とする。
【００２２】
請求項１記載の発明は、記録媒体を供給する記録媒体供給手段と、記録媒体を搬送する搬送手段と、記録媒体の幅方向に亘って走査すると共にインクを噴射して画像を記録する記録手段と、画像の記録時に記録媒体を保持して浮き上がりを防止する記録媒体保持手段とを有するインクジェット記録装置において、上記記録媒体保持手段は、記録媒体裏面に接する保持部に、記録媒体よりも大きな範囲に記録を行った際に噴射された余剰インクを受けるためのインク受け用の開口部を設けると共に、該開口部の位置を、記録媒体の幅に応じて変更可能に構成したことを特徴とするインクジェット記録装置である。
【００２３】
請求項２記載の発明は、前記保持部を交換可能に構成し、該保持部を、記録媒体の幅に対応させて予めインク受け用の開口部をそれぞれ形成してなる複数種の保持部のいずれかと交換することにより、インク受け用の開口部の位置を変更可能としたことを特徴とする請求項１記載のインクジェット記録装置である。
【００２４】
請求項３記載の発明は、各種記録媒体の各々の幅に対応する位置にインク受け用の開口部を形成してなる保持部の下面に、上記開口部と適合する大きさの開口を、上記開口部よりも少ない数だけ形成したスライド板をスライド可能に当接させ、上記保持部とスライド板との相対位置を変更して保持部のいずれかの開口部とスライド板の開口とを選択的に適合させることにより、インク受け用の開口部の位置を変更可能としたことを特徴とする請求項１記載のインクジェット記録装置である。
【００３５】
請求項４記載の発明は、記録媒体を供給する記録媒体供給手段と、記録媒体を搬送する搬送手段と、記録媒体の幅方向に亘って走査すると共にインクを噴射して画像を記録する記録手段と、画像の記録時に記録媒体を保持して浮き上がりを防止する記録媒体保持手段とを有するインクジェット記録装置において、上記記録媒体保持手段は、記録媒体裏面に接する多数の吸引孔を有する保持部と、該保持部下面側に設けられた負圧室と、該負圧室と接続して上記吸引孔から空気を吸引することにより記録媒体を保持部に吸着させる吸引手段と、上記負圧室内に設けられ、記録媒体よりも大きな範囲に記録を行った際に噴射された余剰インクを受けるためのインク受け部とを有し、上記インク受け部は、内部に貯溜された余剰インクを排出する排出口を開閉弁を介して上記負圧室内に臨ませ、上記記録手段による非記録時に上記開閉弁を開放することにより、吸引手段の吸引力によりインク受け部内の余剰インクを排出するようにしたことを特徴とするインクジェット記録装置である。
【００３６】
【発明の実施の形態】
以下、本発明の実施の形態を図面に基づいて説明する。
【００３７】
図１はインクジェット記録装置の概略を示す構成図である。
【００３８】
同図に示すように、装置上方には記録媒体供給手段１が配置されている。記録媒体供給手段１は、長尺状の記録媒体が巻回された複数（図示例では２つ）のペーパーロール１Ａ、１Ｂから、それぞれ記録媒体１０Ａ、１０Ｂが搬送手段２にによって図示下方向に繰り出されるようになっている。
【００３９】
搬送手段２は、各々の記録媒体１０Ａ、１０Ｂを搬送する搬送ローラ対２１Ａ、２１Ｂと、該搬送ローラ対２１Ａ、２１Ｂを駆動させる搬送モータ２２Ａ、２２Ｂとを有しており、ペーパーロール１Ａ、１Ｂから繰り出された各記録媒体１０Ａ、１０Ｂを上記搬送ローラ対２１Ａ、２１Ｂにそれぞれ挟持し、搬送モータ２２Ａ、２２Ｂの駆動制御によってそれぞれ次段の記録手段３へ搬送させる。
【００４０】
記録手段３は、各々の記録媒体１０Ａ、１０Ｂの表面側（記録面側）に、該記録媒体１０Ａ、１０Ｂに対して複数のノズルから液滴状のインクを噴射して画像を記録形成するための記録ヘッド３１が、記録媒体１０Ａ、１０Ｂの搬送方向（副走査方向）と略直交するように横架された走査ガイド３２に沿って移動可能に取付けられたキャリッジ３３に装備されている。
【００４１】
記録ヘッド３１は、例えばＹ（イエロー）、Ｍ（マゼンタ）、Ｃ（シアン）、Ｋ（ブラック）等の各インクが貯溜された複数のインクタンクと、各々のインクタンク内のインクを液滴状に射出するための多数のノズルヘッドを有して構成されており、キャリッジモータ３４と連動するプーリ３５によってキャリッジ３３が移動することにより、記録媒体１０Ａ、１０Ｂの搬送方向と略直交する方向（主走査方向）に沿い、且つ各々の記録媒体１０Ａ、１０Ｂに亘って移動する。
【００４２】
記録手段３によって画像記録がなされた記録媒体１０Ａ、１０Ｂは、それぞれローラ対４Ａ、４Ｂによって挟持移送された後、カッタ５によって各々一画像毎等の所定サイズに裁断される。
【００４３】
上記記録ヘッド３１によって画像記録が行われる記録媒体１０Ａ、１０Ｂの裏面側には、記録ヘッド３１に対向するように、主走査方向に沿い且つ各記録媒体１０Ａ、１０Ｂに亘って記録媒体保持手段６が配設されている。
【００４４】
記録媒体保持手段６は、記録ヘッド３１による記録媒体１０Ａ、１０Ｂへの画像記録時に、該記録媒体１０Ａ、１０Ｂを保持して、表面の平滑性を維持すると同時に、それらの浮き上がりを防止し、主走査方向に沿って移動する記録ヘッド３１との接触を回避するように機能する。
【００４５】
図２に記録媒体保持手段６の実施の形態の一例を示す。（ａ）は記録媒体保持手段６の部分平面図、（ｂ）は（ａ）の(I)−(I)線に沿う側面断面図である。
【００４６】
なお、本実施形態に示すインクジェット記録装置は、２列の記録媒体１０Ａ、１０Ｂを同時に搬送可能に構成しており、記録媒体保持手段６は各記録媒体１０Ａ、１０Ｂに対応した左右対称構造を呈しているため、以下、本明細書においては、特に記載がない限り、記録媒体１０Ａ側に対応する部分についてのみ説明する。
【００４７】
記録媒体保持手段６は、記録媒体１０Ａの裏面に接する平板状の保持部６１の表面に、多数の吸引孔６１１が開穿され、保持部６１の下面側に配置された箱体状の負圧室６２と接続した図示しない吸引ファンや吸引ポンプ等の適宜の吸引手段の駆動によって、負圧室６２内を負圧にして上記多数の吸引孔６１１から空気を吸引することにより、上記保持板６１表面に記録媒体１０Ａを吸着させ、その浮き上がりを防止する。
【００４８】
保持板６１には、記録媒体１０Ａの両側縁部にそれぞれ対応する位置に、インク受け用の開口部６１２、６１３が設けられている。これら開口部６１２、６１３の長さは、記録ヘッド３１の副走査方向に沿う長さと同じ若しくは若干長く形成されており、所謂縁なし画像を記録形成するために、記録ヘッド３１により記録媒体１０Ａの大きさよりも大きな範囲に記録を行った際に、該記録ヘッド３１から噴射されて記録媒体１０Ａの両側縁部からはみ出した余剰インクを受け入れる。開口部６１２、６１３から受け入れた余剰インクは、該開口部６１２、６１３に連通して負圧室６２内に配置されたインク受け部６３内に一時貯溜され、その後図示しない廃インクタンクへ排出される。
【００４９】
この開口部６１２、６１３においては、記録媒体１０Ａの吸引、吸着は行われないため、開口部６１２、６１３の近傍に、記録媒体１０Ａの両側縁部を吸着するための吸着部６４が設けられている。
【００５０】
図２に示す吸着部６４は空気吸引孔６４１からなり、開口部６１２、６１３における記録媒体１０Ａの搬送方向に沿い且つ記録媒体１０Ａの搬送経路上に位置して、該開口部６１２、６１３の上流側及び下流側にそれぞれ設けられている。形状は図示する丸孔状に限らず、角孔状、スリット状等任意である。また、多孔質材により形成してもよい。
【００５１】
吸引手段の駆動により、保持部６１の各吸引孔６１１から空気が吸引されるのと同時に、この吸着部６４の空気吸引孔６４１からも空気が吸引される。これによりインク受け用の開口部６１２、６１３が存在する記録媒体１０Ａの両側縁部も、保持部６１表面に吸引、吸着され、その浮き上がりが防止される。従って、記録媒体側縁部の浮き上がりに起因する記録ヘッドとの接触による印字不良発生の問題が解消される。
【００５２】
この吸着部６４は、開口部６１２、６１３の搬送方向に沿う上下流側に設けられているが、上下流側のいずれか一方のみでもよい。
【００５３】
図３に吸着部６４の他の例を示す。
【００５４】
図３（ａ）は、吸着部６４を開口部６１２、６１３の側部に設けた例を示している。この吸着部６４は多数の空気吸引孔６４２を開口部６１２、６１３の長手方向に沿って列状に設けている。この吸着部６４は、開口部６１２、６１３の長手方向に沿う側部で且つ記録媒体１０Ａの搬送経路上にあり、即ち、開口部６１２及び６１３の内側にそれぞれ配置されている。
【００５５】
図３（ｂ）は、吸着部６４を、空気吸引用のスリット６４３により形成した例を示している。スリット６４３も、開口部６１２、６１３の長手方向に沿う側部で且つ記録媒体１０Ａの搬送経路上に形成されており、同様に吸引手段の駆動により記録媒体１０Ａの両側縁部を保持部６１の表面に吸引、吸着し、その浮き上がりを防止する。このスリット６４３は開口部６１２、６１３における記録媒体１０Ａの搬送方向に沿う上流側及び／又は下流側に配置されていてもよい。
【００５６】
図３（ｃ）は、吸着部６４を、開口部６１２、６１３における記録媒体１０Ａの搬送方向に沿い且つ記録媒体１０Ａの搬送経路上の上下流側と、該開口部６１２、６１３の長手方向に沿う側部で且つ記録媒体１０Ａの搬送経路上にそれぞれ形成した例であり、それぞれ空気吸引孔６４１と空気吸引用のスリット６４３とを組合わせた例を示している。
【００５７】
図４は、吸着部６４の更に他の例を示している。
【００５８】
この吸着部６４は、保持部６１の表面と面一状に形成された静電吸着部６４４により構成されている。静電吸着部６４４は、空気吸引する前記空気吸引孔６４１、６４２、スリット６４３のような吸着部と異なり、吸着部それ自身が静電現象を利用して記録媒体を吸着する機能を有している。
【００５９】
同図に示す静電吸着部６４４は、各インク受け用の開口部６１２、６１３の四辺を囲むようにそれぞれ周囲に配置されている。記録媒体１０Ａは、吸引手段による多数の吸引孔６１１からの空気の吸引によって保持部６１表面に吸引、吸着されると共に、インク受け用の開口部６１２、６１３上に位置するその両側縁部が、静電吸着部６４４によって保持部６１表面に静電吸着され、その浮き上がりが防止される。
【００６０】
この静電吸着部６４４は、開口部６１２、６１３の四辺を囲む態様に限らず、図５に示すように様々な態様を採ることができる。
【００６１】
図５（ａ）は、開口部６１２における外側（他の開口部６１３と反対側）の一辺を除く該開口部６１２の三辺を囲むように設けている。
【００６２】
図５（ｂ）は、開口部６１２における内側（他の開口部６１３側）の一辺のみに沿うように一定幅で設けている。
【００６３】
図５（ｃ）は、開口部６１２における記録媒体１０Ａの搬送方向に沿い且つ記録媒体１０Ａの搬送経路上の上下流側に設けている。
【００６４】
このような静電吸着部６４４は、空気吸引孔６４１、６４２から空気吸引することにより記録媒体１０Ａを吸着するものに比べ、記録媒体１０Ａを一定幅で面状に吸着することができる。
【００６５】
また、静電吸着部６４４は、記録媒体の両側縁部に対応する位置等のように、浮き上がりを防止するのに必要な部位に部分的に設けることが好ましい。このようにすれば保持部６１表面全面に静電吸着部６４４を設ける場合に比べて安価に構成できる。
【００６６】
図６は、インク受け用の開口部６１２、６１３の近傍以外に、静電吸着部６４４を保持部６１の表面に亘って部分的に設けた例を示している。この図に示す静電吸着部６４４は、両開口部６１２、６１３の間に、記録媒体１０Ａの搬送方向に沿って一定幅で４本設けられているが、数は限定されない。
【００６７】
また、静電吸着部６４４による記録媒体１０Ａの部分的な吸着と、吸引孔６１１からの空気の吸引による記録媒体１０Ａの吸着とを併用すれば、記録媒体１０Ａ全体を空気吸引によって保持部６１表面に吸着させると同時に、特に記録媒体１０Ａの浮き上がりの発生が懸念される部位、例えば上記のようにインク受け用の開口部６１２、６１３の近傍等に静電吸着部６４４によって記録媒体１０Ａを部分的に保持部６１表面に確実に吸着させるようにすることができ、記録媒体１０Ａの浮き上がりに起因する問題をより効果的に解消することができる。
【００６８】
図７は、記録媒体の両側縁部の浮き上がりを防止する別の例であり、記録媒体保持手段６の負圧室６２の吸引手段６５との接続口６２１、６２２を、記録媒体１０Ａの両側縁部近傍の位置に対応させてそれぞれ設けた例を示している。
【００６９】
各々の接続口６２１、６２２は、図８に示すように、負圧室６２の側面において、保持部６１の表面側から見て、記録媒体１０Ａの両側縁部の位置と搬送方向に沿って略重なるような位置に設けられ、吸引手段６５とそれぞれ吸引ダクト６５１、６５２によって接続されている。
【００７０】
吸引手段６５の駆動により、吸引ダクト６５１、６５２を介して負圧室６２内の空気を吸引した際、該接続口６２１、６２２近傍の吸引力を向上させ、これにより記録媒体１０Ａの両側縁部近傍の吸引力を向上させる。従って、簡単な構成で記録媒体１０Ａの両側縁部の浮き上がりを効果的に防止することができる。
【００７１】
各接続口６２１、６２２は、記録媒体１０Ａの両側縁部近傍の位置に対応させて設けられれば、負圧室６２の底面に設けられてもよい。また、負圧室６２において記録媒体１０Ａの搬送方向の上流側の側面に設けられていてもよい。
【００７２】
次に、記録媒体保持手段の保持部に形成されたインク受け用の開口部の位置を変更可能とした態様について説明する。
【００７３】
図９は、保持部を交換可能とした場合を示しており、ここでは記録媒体１０Ａ、１０Ｂの各列を保持する記録媒体保持手段６全体を示している。
【００７４】
保持部は各記録媒体１０Ａ、１０Ｂにそれぞれ対応して６１Ａ、６１Ｂに２分割され、それぞれ個別に適宜の固定手段によって着脱可能に負圧室６２上面を覆うように取り付けられている。固定手段は何ら限定されない。
【００７５】
各保持部６１Ａ、６１Ｂには、それぞれ記録媒体１０Ａ、１０Ｂの両側縁部に対応する位置に、インク受け用の開口部６１２Ａ、６１３Ａ、６１２Ｂ、６１３Ｂが設けられている。
【００７６】
これら開口部６１２Ａ、６１３Ａ、６１２Ｂ、６１３Ｂは、一種類の記録媒体の幅に対応するようにしか設けられていない。それら開口部が対応している幅の記録媒体と異なる幅の記録媒体に対しても縁なし画像の記録を可能とするために、図１０に示すように、記録媒体の幅に対応させて予めインク受け用の開口部６１２Ａ、６１３Ａをそれぞれ形成した複数種の保持部６１Ａ１、６１Ａ２、６１Ａ３、６１Ａ４を用意しておく。なお、図１０は保持部６１Ａの交換用の保持部を示している。
【００７７】
例えば、保持部６１Ａ１は記録媒体幅が１２７ｍｍ用、保持部６１Ａ２は１００ｍｍ用、保持部６１Ａ３は８９ｍｍ用、保持部６１Ａ４は８２ｍｍ用等のように、予めインク受け用の開口部６１２Ａ、６１３Ａを各幅に合わせてそれぞれ設ける。但し、ここでは、記録媒体は開口部６１３Ａに対応する側縁部を常に定位置にしているため、開口部６１２Ａのみの位置が変更される。
【００７８】
記録を行う記録媒体の幅に応じて、これら保持部６１Ａ１、６１Ａ２、６１Ａ３、６１Ａ４のいずれかと交換すれば、開口部６１２Ａ、６１３Ａの位置を各種の記録媒体の幅に合致するように変更することができ、一台の記録装置で幅の異なる複数種の記録媒体に対応して縁なし画像の記録を行うことができる。
【００７９】
また、各保持部６１Ａ１、６１Ａ２、６１Ａ３、６１Ａ４には、吸引孔６１１を開口部６１２Ａと６１３Ａの間のみに形成しておけば、記録媒体の幅が変わっても、それに応じて必要な部分、即ち記録媒体が存在する領域のみ吸引することができ、記録媒体の存在しない吸引に不必要な箇所から吸引することによる空気漏れの無駄を解消し、吸引力の低下を防止することができる。
【００８０】
なお、負圧室６２内には、保持部が６１Ａ１、６１Ａ２、６１Ａ３、６１Ａ４のいずれと交換されても、その位置が変更される開口部６１２Ａによって余剰インクを受け入れることができるように、各保持部の開口部６１２Ａの位置にそれぞれ対応させて複数のインク受け部を予め配置しておくことが好ましい。
【００８１】
図１１は、記録媒体保持手段の保持部に形成されたインク受け用の開口部の位置を変更可能とした別の態様を示している。
【００８２】
この態様では、保持部６１には、各種記録媒体の各々の幅に対応するインク受け用の複数の開口部６１２ａ、６１２ｂ、６１２ｃ、６１２ｄが同時に形成されている。
【００８３】
この保持部６１の下面側には、少なくとも上記開口部６１２ａ、６１２ｂ、６１２ｃ、６１２ｄを全て覆うことができる大きさのスライド板６６を、図１２に示すように、主走査方向に沿う方向にスライド可能に当接させている。
【００８４】
スライド板６６には、上記開口部６１２ａ、６１２ｂ、６１２ｃ、６１２ｄと同一大きさの開口６６１が一つだけ形成されており、該スライド板６６をスライドさせることにより、保持部６１との相対位置を変更し、その開口６６１が保持部６１の上記開口部６１２ａ、６１２ｂ、６１２ｃ、６１２ｄのうちのいずれかと選択的に適合し得るようになっている。
【００８５】
これにより、一台の記録装置で複数種の幅の記録媒体に対応して、縁なし画像の記録を行うことができる。
【００８６】
また、最も幅の狭い記録媒体を保持部６１表面に吸着させて記録を行う場合、スライド板６６の開口６６１が保持部６１の開口部６１２ｄのみと適合し得るようにスライドさせれば、記録媒体の存在しない領域の吸引孔６１１や開口部６１２ａ、６１２ｂ、６１２ｃをスライド板６６で遮蔽することができるので、スライド板６６は遮蔽板としても機能し、空気漏れの無駄を解消して吸引力の低下を防止することができるようになる。
【００８７】
スライド板６６のスライド操作はオペレータが手動で行ってもよいし、図１２に示すように、駆動モータ６６３の駆動によって自動で行ってもよい。自動化する場合には、スライド板６６にセンサ孔６６２を適宜形成しておき、該センサ孔６６２をセンサ６６４によって読取ることでスライド板６６の位置検出を行うようにすることが好ましい。
【００８８】
なお、この図１１及び図１２に示す態様では、スライド板６６に開口６６１のみ一つだけ形成されているものについて説明したが、このスライド板６６に形成される開口は一つに限定されず、保持部６１に形成されている開口部６１２ａ、６１２ｂ、６１２ｃの数よりも少ない数だけ形成されていればよい。従って、スライド板６６に複数の開口（例えば、図１１及び図１２に示す態様では、最大３つまで）を形成しておき、保持部６１との相対位置を変えることにより、開口部を選択的に適合させるようにすることもできる。このようにすると、スライド板６６の複数の開口と保持部６１の開口部との位置の組合わせによって、最小のスライド量で所望の保持部６１の開口部とスライド板６６の開口とを適合させることができるようになり、迅速な処理が可能である。
【００８９】
図１３に、記録媒体保持手段の保持部に形成された吸引孔のうち、吸引を行う領域を変更可能とした態様を示す。
【００９０】
この態様では、記録媒体保持手段６の保持部６１の表面に帯状遮蔽板６７をスライド可能に当接させている。
【００９１】
帯状遮蔽板６７は、例えばスチールベルトのような可撓性を有する薄くて丈夫な帯状体からなり、両端がそれぞれローラ６７１、６７２に巻き付けられ、該ローラ６７１、６７２の回動により記録媒体の搬送方向に沿って、保持部６１表面に各記録媒体１０Ａ、１０Ｂの列に対応させてそれぞれスライド可能に設けられる。
【００９２】
帯状遮蔽板６７には、図１３（ｂ）に示すように、複数の領域、図示例ではＸ１、Ｘ２、Ｘ３、Ｘ４の４種が設定されており、各領域Ｘ１、Ｘ２、Ｘ３、Ｘ４内のみに、該帯状遮蔽板６７の搬送方向に沿う保持部６１の各吸引孔６１１と適合する位置及び大きさの開孔６７３が形成されている。従って、保持部６１の吸引孔６１１と適合し得る孔の数は、各領域Ｘ１、Ｘ２、Ｘ３、Ｘ４内でそれぞれ異なっている。
【００９３】
この帯状遮蔽板６７をスライドさせて、そのいずれかの領域を保持部６１表面と選択的に適合させることにより、帯状遮蔽板６７の領域に形成された開孔６７３と、それに相当する保持部６１の吸引孔６１１のみから空気が吸引され、その他の領域外の吸引孔は帯状遮蔽板６７で遮蔽され、そこからの空気の吸引は行われない。帯状遮蔽板６７を適宜スライドさせることにより、領域Ｘ１、Ｘ２、Ｘ３、Ｘ４の複数種の領域に容易に変更することが可能である。
【００９４】
この帯状遮蔽板６７のスライド操作は、オペレータが手動で行ってもよいし、適宜の駆動手段によってローラ６７１、６７２を駆動させることにより自動で行ってもよい。
【００９５】
上記領域Ｘ１、Ｘ２、Ｘ３、Ｘ４は、各種の記録媒体のそれぞれの幅に対応した大きさを有する領域とすれば、記録媒体の幅が変更した際に、記録媒体が存在する部分のみを吸引することができ、記録媒体の存在しない領域の吸引孔６１１を帯状遮蔽板６７で塞ぐことができるので、空気漏れの無駄を解消して吸引力の低下を防止することができるようになる。
【００９６】
また、保持部６１には、図１１のように各種の記録媒体のそれぞれの幅に対応させて、余剰インクを受け入れるためのインク受け用の開口部を複数同時に形成しておき、図１３に示すように、帯状遮蔽板６７の各領域Ｘ１、Ｘ２、Ｘ３、Ｘ４に、それら開口部のいずれかと適合し得る開口６７４ａ〜６７４ｄ、６７５ａ〜６７５ｄを形成しておくことにより、記録媒体の幅に対応させてインク受け用の開口部の位置も同時に変更することができる。このとき、保持部６１の不要な開口部は帯状遮蔽板６７で遮蔽されるため、吸引、吸着時の支障となるようなこともない。
【００９７】
更に、この帯状遮蔽板６７を、その搬送方向に若干ずらすことにより、保持部６１の吸引孔６１１と、帯状遮蔽板６７の各領域Ｘ１、Ｘ２、Ｘ３、Ｘ４内の開孔６７３との相対位置を変化させ、両者の適合状態を解除させることができる。従って、保持部６１の吸引孔６１１は帯状遮蔽板６７によって遮蔽されるため、該帯状遮蔽板６７が記録媒体の保持部６１表面への吸着を遮断するシャッタの役目をなす。記録媒体の搬送時に、このようにして帯状遮蔽板６７により記録媒体の保持部６１表面への吸着を一時的に遮断すれば、始動及び停止動作のレスポンスの遅い吸引手段自体を停止させることにより吸着を解除しなくて済むため、記録媒体の搬送を迅速且つスムーズに行うことができるようになる効果もある。
【００９８】
記録媒体の保持部６１表面への吸着状態を一時的に解除する他の態様として、図１４に示すように、保持部６１の下面側に、保持部６１の吸引孔６１１と適合し得る位置及び大きさの開孔６８１を形成した遮蔽板６８を、主走査方向に沿う方向にスライド可能に当接させるようにすることも好ましい。
【００９９】
この遮蔽板６８は、駆動モータの駆動又は手動操作によりスライドさせて、保持部６１と遮蔽板６８との相対位置を変化させ、保持部６１の吸引孔６１１と遮蔽板６８の開孔６８１との適合状態を解除させることにより、該遮蔽板６８をシャッタとして機能させ、保持部６１の吸引孔６１１を遮蔽する。これにより保持部６１表面への吸着状態を迅速且つスムーズに一時解除することができる。
【０１００】
また、図１５に示すように、負圧室６２と接続した吸引手段との吸引経路途上に、開閉弁６９を介在させ、この開閉弁６９を制御して一時的に閉じることにより、吸引手段からの負圧室６２内の空気の吸引を一時的に遮断するようにしてもよい。
【０１０１】
図１６及び図１７に、保持部６１の吸引孔６１１からの吸引を、記録媒体１０Ａ、１０Ｂの各列で個別に制御するようにした態様を示す。
【０１０２】
図１６は、記録媒体保持手段６の負圧室６２内部を、記録媒体１０Ａ、１０Ｂの各列に対応させて、仕切り壁６２３によって２つに区画した例を示している。
【０１０３】
該仕切り壁６２３によって区画された負圧室６２４Ａ、６２４Ｂには、それぞれ個別に吸引手段６５Ａ、６５Ｂが接続されており、それら吸引手段６５Ａ、６５Ｂの駆動を制御することによって各負圧室６２４Ａ、６２４Ｂを個別に吸引制御することができるようになっている。
【０１０４】
これにより記録媒体を搬送する必要のない列の負圧室６２４Ａ又は６２４Ｂの吸引を停止させておくことができると共に、吸引手段は負圧室６２４Ａ又は６２４Ｂのいずれかのみを吸引し得るだけの能力で済むため、それだけ省エネを図ることができる。
【０１０５】
図１７は、図１４に示す遮蔽板６８を、記録媒体１０Ａ、１０Ｂの各列毎に対応させて、それぞれ設けた例を示している。
【０１０６】
それぞれの遮蔽板６８Ａ、６８Ｂによって各記録媒体１０Ａ、１０Ｂの列に対応する吸引孔６１１を個別に遮蔽することができるので、吸引孔６１１からの空気の吸引を各列個別に制御することができる。
【０１０７】
これによれば、吸引手段６５一つで各列の吸引制御を個別に行うことができるので、吸引機構が１系統で済むようになる。また、吸引手段６５自体の駆動を制御することなく吸引制御が行えるため、迅速且つスムーズな制御が可能である。
【０１０８】
また、上記遮蔽板６８Ａ、６８Ｂに代えて、図１３に示す帯状遮蔽板６７を各列に対応させて個別に配置させることにより、各列の吸引を個別に制御するようにしても上記同様の制御が可能である。
【０１０９】
図１８は、インク受け部内に貯溜された余剰インクを排出するための態様を示している。
【０１１０】
同図において、負圧室６２内に配置されたインク受け部６３は、内部に貯溜された余剰インクＷを排出する排出口６３１が、開閉弁６３２を介して負圧室６２内に臨んで位置している。
【０１１１】
従って、この開閉弁６３２を開放することにより、インク受け部６３内と負圧室６２内が連通し、吸引手段の吸引力によってインク受け部６３内に貯溜された余剰インクＷが排出される。この開閉弁６３２の開放制御は、画像記録時の吸引力低下を防ぐため、記録手段３による非記録時に行うようにする。
【０１１２】
これにより吸引手段の吸引力を利用して、余剰インクの排出をスムーズに行うことができるようになる。
【０１１３】
なお、以上の説明では、記録媒体１０Ａ、１０Ｂがペーパーロール１Ａ、１Ｂから供給される長尺状のものについて説明したが、予め適宜サイズに裁断されているシート状の記録媒体であってもよいことはもちろんである。
【０１１４】
【発明の効果】
本発明によれば、記録媒体の両側縁部における浮き上がりの発生を防止して、良質な画像記録を行うことのできるインクジェット記録装置を提供することができる。
【０１１５】
また、本発明によれば、幅の異なる各種の記録媒体へ画像を記録する場合にも容易に対応することのできるインクジェット記録装置を提供することができる。
【図面の簡単な説明】
【図１】インクジェット記録装置の概要を示す構成図
【図２】（ａ）は記録媒体保持手段を示す部分平面図、（ｂ）はそのｂ−ｂ線に沿う側面断面図
【図３】（ａ）〜（ｃ）は吸着部の他の例を示す部分平面図
【図４】吸着部を静電吸着部として例を示す部分平面図
【図５】（ａ）〜（ｃ）は静電吸着部の他の例を示す説明図
【図６】静電吸着部の更に他の例を示す部分平面図
【図７】記録媒体保持部材の他の例を示す部分斜視図
【図８】図７の部分平面図
【図９】記録媒体保持手段の更に他の例を示す斜視図
【図１０】交換用の保持部を示す平面図
【図１１】保持部の他の例を示す説明図
【図１２】保持部の他の例を示す部分平面図
【図１３】（ａ）は記録媒体保持手段の更に他の例を示す部分斜視図、（ｂ）は帯状遮蔽板を示す平面図
【図１４】保持部の更に他の例を示す部分平面図
【図１５】記録媒体保持手段の更に他の例を示す側面断面図
【図１６】記録媒体保持手段の更に他の例を示す斜視図
【図１７】記録媒体保持手段の更に他の例を示す斜視図
【図１８】記録媒体保持手段の更に他の例を示す斜視図
【図１９】（ａ）（ｂ）は従来の記録媒体保持手段の保持部を示す平面図
【符号の説明】
１：記録媒体保持手段
２：搬送手段
３：記録手段
６：記録媒体保持手段
【図１】
0004608738.tif 000002
【図２】
0004608738.tif 000003
【図３】
0004608738.tif 000004
【図４】
0004608738.tif 000005
【図５】
0004608738.tif 000006
【図６】
0004608738.tif 000007
【図７】
0004608738.tif 000008
【図８】
0004608738.tif 000009
【図９】
0004608738.tif 000010
【図１０】
0004608738.tif 000011
【図１１】
0004608738.tif 000012
【図１２】
0004608738.tif 000013
【図１３】
0004608738.tif 000014
【図１４】
0004608738.tif 000015
【図１５】
0004608738.tif 000016
【図１６】
0004608738.tif 000017
【図１７】
0004608738.tif 000018
【図１８】
0004608738.tif 000019
【図１９】
0004608738.tif 000020